(57)【要約】      （修正有）【課題】発光色温度を変えることができるＬＥＤ制御装置を提供する。【解決手段】少なくとも一つのＬＥＤ発光モジュール２の色温度の変化を制御することができる。その内、前記ＬＥＤ制御装置１は、前記ＬＥＤ発光モジュール２に電気的に接続されるＬＥＤ駆動装置１１と、電源変換モジュール１２と、前記電源変換モジュールに電気的に接続されるとともに前記ＬＥＤ駆動装置の電流出力比率を制御できるマイクロコントローラ１３（ＭＣＵ）と、からなる。その内、マイクロコントローラ１３は、前記ＬＥＤ駆動装置に電気的に接続される第一制御ポイント１４と、前記ＬＥＤ発光モジュールに電気的に接続される少なくとも一つの第二制御ポイント１５と、第三制御ポイント１６とを備える。また、第二制御ポイント１５及び第三制御ポイント１６は、電流の導通を制御できる少なくとも一つの電流制御素子に電気的に接続される。【選択図】図１
0003183908.tif 000002
【実用新案登録請求の範囲】
【請求項１】
少なくとも一つのＬＥＤ発光モジュールの色温度の変化を制御できるＬＥＤ制御装置であって、
前記ＬＥＤ制御装置は、
前記ＬＥＤ発光モジュールに電気的に接続されるＬＥＤ駆動装置と、
電源変換モジュールと、
前記電源変換モジュールに電気的に接続されるとともに、前記ＬＥＤ駆動装置の電流出力比率を制御できるマイクロコントローラ（Ｍｉｃｒｏｃｏｎｔｒｏｌｌｅｒ  Ｕｎｉｔ、ＭＣＵ）とからなり、
前記マイクロコントローラは、前記ＬＥＤ駆動装置に電気的に接続される第一制御ポイントと、少なくとも一つの前記ＬＥＤ発光モジュールに電気的に接続される第二制御ポイントと、第三制御ポイントとを備え、前記第二制御ポイント及び第三制御ポイントは、少なくとも一つの電流の導通を制御できる電流制御素子に電気的に接続されることを特徴とする、ＬＥＤ制御装置。
【請求項２】
前記電源変換モジュールは、交流電源を直流電源に変換し、前記電流制御素子は、金属酸化物半導体電界効果トランジスタ（Ｍｅｔａｌ−Ｏｘｉｄｅ−Ｓｅｍｉ−ｃｏｎｄｕｃｔｏｒ  Ｆｉｅｌｄ  Ｅｆｆｅｃｔ  Ｔｒａｎｓｉｓｔｏｒ、ＭＯＳＦＥＴ）であることを特徴とする、請求項１に記載のＬＥＤ制御装置。
【請求項３】
前記ＬＥＤ発光モジュールは、第一発光源と第二発光源とからなり、前記第一発光源は、６０００Ｋまでの色温度である冷白色の白光ＬＥＤであり、前記第二発光源は、３０００Ｋまでの色温度の暖白色の白光ＬＥＤであることを特徴とする、請求項１に記載のＬＥＤ制御装置。
【考案の詳細な説明】
【技術分野】
【０００１】
本考案はＬＥＤ制御装置に関し、特にＬＥＤ駆動装置を利用して、出力端の電流出力比率の大きさを制御することにより、ＬＥＤの発光色温度を変えることができるＬＥＤ制御装置に関する。
【背景技術】
【０００２】
照明器具は、人々の生活の中で重要な役割を担っており、時間帯、場所、環境の違いで、異なる輝度や色温度の照明器具が必要になる。光源から発する異なる色温度の光は様々な雰囲気を作り出し、そこに身を置く者に様々な感覚を抱かせることができ、人々の気持ちを変化させることができる。例えば、色温度が３０００ｋ以下の光は暖かくリラックスできる感覚を与えることができ、一般の仕事場では、６０００ｋ以上の明るさが必要である。
【０００３】
光の調整可能な照明器具を使用すると、省エネを実現できるだけでなく、照明器具の様々な使い方を実現できる。しかしながら、色温度を変えなければならない場合、異なる色温度の光源を別途取り付け、異なる色温度の光源を二つの別々の照明回路で制御しなければならないため、その照明と家庭の照明装置が相容れないことがあり、しかも、照明装置の設置の人的コストが増える。従って、この種の照明器具は、使用者が様々な状況で異なる照明の色温度を求める要求に応えることは難しい。
【考案の概要】
【考案が解決しようとする課題】
【０００４】
本考案の考案人は、上述の欠点を鑑み、関連データを集めて、他方面の考察を行い、さらには、業界における長年の経験を生かして、絶え間ないトライ＆エラーを繰り返し、遂に、ＬＥＤ駆動装置を利用して出力端の電流の出力比率の大きさを制御することによりＬＥＤ発光の色温度を変えることができるＬＥＤ制御装置を考案した。
【０００５】
そこで、本考案は、マイクロコントローラ（ＭＣＵ）の一端に連結されたＬＥＤ駆動装置を利用し出力端でＬＥＤ発光源の制御を行うことで、各ＬＥＤ発光モジュールの電流比率を制御して発光色温度を変えることができるＬＥＤ制御装置を提供することを目的とする。
【課題を解決するための手段】
【０００６】
上述の目的を達成するために、本考案によるＬＥＤ制御装置は、少なくとも一つのＬＥＤ発光モジュールの色温度の変化を制御することができる。その内、前記ＬＥＤ制御装置は、前記ＬＥＤ発光モジュールに電気的に接続されるＬＥＤ駆動装置と、電源変換モジュールと、前記電源変換モジュールに電気的に接続されるとともに前記ＬＥＤ駆動装置の電流出力比率を制御できるマイクロコントローラ（ＭＣＵ）と、からなる。その内、マイクロコントローラは、前記ＬＥＤ駆動装置に電気的に接続される第一制御ポイントと、前記ＬＥＤ発光モジュールに電気的に接続される少なくとも一つの第二制御ポイントと、第三制御ポイントとを備える。また、第二制御ポイント及び第三制御ポイントは、電流の導通を制御できる少なくとも一つの電流制御素子に電気的に接続される。
【考案の効果】
【０００７】
以上の構造により、本考案のＬＥＤ発光モジュールを連結した時、壁のコンセントから供給される電力が電源変換モジュール及びＬＥＤ駆動装置へと伝わって作動し、マイクロコントローラ（ＭＣＵ）の電流制御素子によって電流導入の分流比率が調整され、さらに、ＬＥＤ照明器具の異なるシチュエーションの具体的なニーズに応じて、マイクロコントローラ（ＭＣＵ）とマイクロコントローラ（ＭＣＵ）一端に連結されたＬＥＤ駆動装置によって、出力端でＬＥＤ発光モジュールが発する光の輝度の大きさを制御することで、仕事状態にあるＬＥＤ照明器具が発する色温度を変えることができる。それにより、異なる色温度の照明光線を提供することができ、異なるシチュエーションで必要とされる色温度を達成することができる。
【図面の簡単な説明】
【０００８】
【図１】本考案の実施例のブロック図である。
【図２】本考案の実施例の実施を示した説明図１である。
【図３】本考案の実施例の実施を示した説明図２である。
【図４】本考案の実施例の実施を示した説明図３である。
【考案を実施するための形態】
【０００９】
図１を参照する。図１は、本考案の実施例のブロック図である。図から分かるように、本考案のＬＥＤ制御装置は、少なくとも一つのＬＥＤ発光モジュール２の色温度の変化。を制御することができる。ＬＥＤ制御装置１は、前記ＬＥＤ発光モジュール２に電気的に接続されるＬＥＤ駆動装置１１と、電源変換モジュール１２と、電源変換モジュール１２に電気的に接続されるとともにＬＥＤ駆動装置１１の電流出力比率を制御できるマイクロコントローラ１３（Ｍｉｃｒｏｃｏｎｔｒｏｌｌｅｒ  Ｕｎｉｔ、ＭＣＵ）と、とからなる。マイクロコントローラ１３は、ＬＥＤ駆動装置１１に電気的に接続された第一制御ポイント１４と、少なくとも一つの前記ＬＥＤ発光モジュール２に電気的に接続される第二制御ポイント１５と、第三制御ポイント１６とを備え、第二制御ポイント１５及び第三制御ポイント１６と、前記ＬＥＤ発光モジュール２の間は、電流の導通を制御できる少なくとも一つの電流制御素子１７に電気的に接続される。
【００１０】
ＬＥＤ発光モジュール２は、第一発光源２１と第二発光源２２とを備え、第一発光源２１は冷白色（〜６０００Ｋの色温度）の白光ＬＥＤ、第二発光源２２は暖白色（〜３０００Ｋの色温度）の白光ＬＥＤであり、電流制御素子１７は、金属酸化物半導体電界効果トランジスタ（Ｍｅｔａｌ−Ｏｘｉｄｅ−Ｓｅｍｉ−ｃｏｎｄｕｃｔｏｒ  Ｆｉｅｌｄ  Ｅｆｆｅｃｔ  Ｔｒａｎｓｉｓｔｏｒ、ＭＯＳＦＥＴ）である。
【００１１】
図１から図４を参照する。図１から図４は、本考案の実施例のブロック図と、実施を示した説明図１〜３である。図から分かるように、本考案を作動させると、ＬＥＤ制御装置１は、電源変換モジュール１２により、電源から入力された交流電流を、直流電流に変換して出力し、第一制御ポイント１４がＬＥＤ駆動装置１１の作動を制御することで、ＬＥＤ発光モジュール２を制御する目的を達成することができる。実際の実施に際しては、さらに、ＬＥＤ発光モジュール２を第一発光源２１と第二発光源２２に分ける。第一発光源２１は冷色光源であり、その色温度は高く、４０００Ｋより大きい（例えば、６０００Ｋ）。また、第二発光源２２は、暖色光源であり、その色温度は低く、４０００Ｋより小さい（例えば、３０００Ｋ）。そして、下の表の例で言うと、電流が出力されて導通する時、マイクロコントローラ１３（Ｍｉｃｒｏｃｏｎｔｒｏｌｌｅｒ  Ｕｎｉｔ、ＭＣＵ）及び一端に連結された電流制御素子１７によって、第一発光源２１及び第二発光源２２へ出力される電流を調整することができる。以下の表も同時に参照する。
【００１２】
0003183908.tif 000003
【００１３】
上の表から分かるように、第二制御ポイント１５をオン（ｏｎ）状態にし、同時に、第三制御ポイント１６をオフ（ｏｆｆ）状態にすると、第一発光源２１から得られる電流は３００ｍＡとなり、第二発光源２２から得られる電流は０ｍＡとなる。この時、第一発光源２１は、色温度６０００Ｋの照明を発する。なお、この種の色温度は、仕事状態の冷色光線に適用される。反対に、第二制御ポイント１５をオフ（ｏｆｆ）状態にし、第三制御ポイント１６をオン（ｏｎ）状態にすると、第一発光源２１から得られる電流は０ｍＡとなる。従って、第二発光源２２から得られる電流は３００ｍＡであり、色温度３０００Ｋの照明を発する。この種の色温度は、リラックス状態の暖色光線に適用される。もし、第一発光源２１から得られる電流が約１５０ｍＡであり、第二発光源２２を流れる電流が約１５０ｍＡである時、混ぜ合わさった異なる色温度の光線が発せられ、光の混合効果を得ることができる。また、反対の場合もまた同様であり、その他の電流については、ここでは記載を省略する（上の表を参照）。以上のように、本考案は、主に、マイクロコントローラ１３（Ｍｉｃｒｏｃｏｎｔｒｏｌｌｅｒ  Ｕｎｉｔ、ＭＣＵ）及び一端に連結された電流制御素子１７によって、第一発光源２１及び第二発光源２２に出力される電流比率を調整することにより、第一発光源２１と第二発光源２２を混ぜ合わせて異なる色温度、色、明暗を作り出すことができる。
【００１４】
以上をまとめると、本考案のＬＥＤ制御装置によって、従来の技術を改善できるポイントは以下の通りである。マイクロコントローラ１３（ＭＣＵ）の一端に連結されたＬＥＤ駆動装置１１を利用して、出力端でＬＥＤ発光源の分流制御を行うことにより、ＬＥＤ発光モジュール２の電流比率を制御することができ、さらには、ＬＥＤ発光モジュール２の色温度（色）を変えることができる。
【符号の説明】
【００１５】
１      ＬＥＤ制御装置
１１    ＬＥＤ駆動装置
１２    電源変換モジュール
１３    マイクロコントローラ
１４    第一制御ポイント
１５    第二制御ポイント
１６    第三制御ポイント
１７    電流制御素子
２      ＬＥＤ発光モジュール
２１    第一発光源
２２    第二発光源
【図１】
0003183908.tif 000004
【図２】
0003183908.tif 000005
【図３】
0003183908.tif 000006
【図４】
0003183908.tif 000007